(57)【要約】【課題】起立保持機構により掬い具体を食卓やテーブルの上面などの設置面に起立保持することができると共におきあがりこぼし機能を発揮することができ、誤って触れたりして、少しの外力が加わったとしても、おきあがりこぼし機能により、少し揺れた後、起立保持することができ、掬い具体を安定的に起立保持することができ、掬い部の汚れや設置面の汚れを防ぐことができ、衛生的に使用することができると共にデザイン性も向上することができる。【解決手段】掬い部１ａ及び柄部１ｂからなる掬い具体１からなり、掬い具体に掬い具体を起立保持すると共におきあがりこぼし機能を発揮する起立保持機構２を設けてなる。【選択図】図１
2010269031.tif 000002
【特許請求の範囲】
【請求項１】
掬い部及び柄部からなる掬い具体からなり、上記掬い具体に該掬い具体を起立保持すると共におきあがりこぼし機能を発揮する起立保持機構を設けてなることを特徴とする食品掬い具。
【請求項２】
上記起立保持機構として、上記掬い具体の設置底面を略球状の球状面に形成すると共に上記掬い具体の底部におきあがりこぼし機能を発揮するための錘体を設けてなることを特徴とする請求項１記載の食品掬い具。
【請求項３】
上記掬い具体の底部に開口部を形成し、該開口部を閉塞可能な底蓋を形成し、該底蓋に上記錘体を収納可能な収納部を形成し、該底蓋の設置底面を略球状の球状面に形成してなることを特徴とする請求項２記載の食品掬い具。
【発明の詳細な説明】
【技術分野】
【０００１】
本発明は、例えば、ごはんや料理を掬う際に用いられるしゃもじなどの食品掬い具に関するものである。
【背景技術】
【０００２】
従来、この種の食品掬い具として、掬い部及び柄部からなる掬い具体を起立保持する支持部を設けた構造のものが知られている。
【先行技術文献】
【特許文献】
【０００３】
【特許文献１】実用新案登録第３０６０８１３号公報
【発明の概要】
【発明が解決しようとする課題】
【０００４】
しかしながらこの従来構造の場合、上記掬い具体を支持部により食卓やテーブルなどの設置面に起立保持することができて掬い部の汚れや設置面の汚れを防ぐことができるものの、当該支持部は掬い具体の底面に平坦底面を形成してなる構造であり、掬い具体は比較的背高いこともあって、誤って触れたりして、少しの外力であっても容易に倒れ易いことがあるという不都合を有している。
【課題を解決するための手段】
【０００５】
本発明はこのような不都合を解決することを目的とするもので、本発明のうちで、請求項１記載の発明は、掬い部及び柄部からなる掬い具体からなり、上記掬い具体に該掬い具体を起立保持すると共におきあがりこぼし機能を発揮する起立保持機構を設けてなることを特徴とする食品掬い具にある。
【０００６】
又、請求項２記載の発明は、上記起立保持機構として、上記掬い具体の設置底面を略球状の球状面に形成すると共に上記掬い具体の底部におきあがりこぼし機能を発揮するための錘体を設けてなることを特徴とするものであり、又、請求項３記載の発明は、上記掬い具体の底部に開口部を形成し、該開口部を閉塞可能な底蓋を形成し、該底蓋に上記錘体を収納可能な収納部を形成し、該底蓋の設置底面を略球状の球状面に形成してなることを特徴とするものである。
【発明の効果】
【０００７】
本発明は上述の如く、請求項１記載の発明にあっては、上記起立保持機構により掬い具体を食卓やテーブルの上面などの設置面に起立保持することができると共におきあがりこぼし機能を発揮することができ、誤って触れたりして、少しの外力が加わったとしても、おきあがりこぼし機能により、少し揺れた後、起立保持することができ、掬い具体を安定的に起立保持することができ、掬い部の汚れや設置面の汚れを防ぐことができ、衛生的に使用することができると共にデザイン性も向上することができる。
【０００８】
又、請求項２記載の発明にあっては、上記起立保持機構として、上記掬い具体の設置底面を略球状の球状面に形成すると共に上記掬い具体の底部におきあがりこぼし機能を発揮するための錘体を設けてなるから、球状面及び錘体により水平方向の全方向に対して外力が加わっても、おきあがりこぼし機能により、少し揺れた後、起立保持することができ、掬い具体を安定的に起立保持することができ、又、請求項３記載の発明にあっては、上記掬い具体の底部に開口部を形成し、開口部を閉塞可能な底蓋を形成し、底蓋に上記錘体を収納可能な収納部を形成し、底蓋の設置底面を略球状の球状面に形成してなるから、掬い具体の底部に錘体を容易に内蔵することができ、製作コストを低減することができる。
【図面の簡単な説明】
【０００９】
【図１】本発明の実施の第一形態例の全体斜視図である。
【図２】本発明の実施の第一形態例の分解斜視図である。
【図３】本発明の実施の第一形態例の正断面図である。
【図４】本発明の実施の第一形態例の部分側断面図である。
【図５】本発明の実施の第一形態例の使用状態図である。
【図６】本発明の実施の第二形態例の部分側面図である。
【図７】本発明の実施の第二形態例の部分平断面図である。
【発明を実施するための形態】
【００１０】
図１乃至図７は本発明の実施の形態例を示し、図１乃至図５は第一形態例、図６、図７は第二形態例である。
【００１１】
図１乃至図５の第一形態例は食品掬い具としてのごはん用のしゃもじに適用したものであり、１は掬い具体であって、合成樹脂製にして、ごはんを掬うための掬い部１ａ及び握り持つための柄部１ｂからなり、この場合、掬い部１ａと柄部１ｂとの中間位置に模様部１ｃを形成してなり、掬い部１ａの表面にごはんの付着を防ぐための凹凸部１ｄを形成している。
【００１２】
２は起立保持機構であって、上記掬い具体１に該掬い具体を起立保持すると共におきあがりこぼし機能を発揮する構造を備えてなり、この場合、上記掬い具体１の設置底面を略球状の球状面Ｂに形成すると共に上記掬い具体の底部におきあがりこぼし機能を発揮するための金属製などの錘体Ｇを設けてなり、この場合、上記掬い具体１の底部に開口部１ｅを形成し、開口部１ｅを閉塞可能な底蓋２ａを形成し、底蓋２ａに上記錘体Ｇを収納可能な収納部２ｂを形成し、底蓋２ａの設置底面を略球状の球状面Ｂに形成して構成している。
【００１３】
この実施の第一形態例は上記構成であるから、上記起立保持機構２により掬い具体１を食卓やテーブルの上面などの設置面に起立保持することができると共におきあがりこぼし機能を発揮することができ、誤って触れたりして、少しの外力が加わったとしても、図５の如く、おきあがりこぼし機能により、少し揺れた後、起立保持することができ、掬い具体１を安定的に起立保持することができ、掬い部１ａの汚れや設置面Ｆの汚れを防ぐことができ、衛生的に使用することができると共にデザイン性も向上することができる。
【００１４】
この場合、上記起立保持機構２として、上記掬い具体１の設置底面を略球状の球状面Ｂに形成すると共に上記掬い具体１の底部におきあがりこぼし機能を発揮するための錘体Ｇを設けてなるから、球状面Ｂ及び錘体Ｇにより水平方向の全方向に対して外力が加わっても、おきあがりこぼし機能により、少し揺れた後、起立保持することができ、掬い具体１を安定的に起立保持することができ、又、この場合、上記掬い具体１の底部に開口部１ｅを形成し、開口部１ｅを閉塞可能な底蓋２ａを形成し、底蓋２ａに上記錘体Ｇを収納可能な収納部２ｂを形成し、底蓋２ａの設置底面を略球状の球状面Ｂに形成してなるから、掬い具体１の底部に錘体Ｇを容易に内蔵することができ、製作コストを低減することができる。
【００１５】
図６、図７の第二形態例は別例構造を示し、この場合、上記模様部１ａを形成せず、上記掬い具体１の設置底面を略球状の球状面Ｂに形成すると共に上記掬い具体１の底部におきあがりこぼし機能を発揮するための錘体Ｇを内蔵形成して構成している。
【００１６】
この実施の第二形態例においても、上記第一形態例と同様な作用効果を得ることができる。
【００１７】
尚、本発明は上記の形態例に限られるものではなく、掬い具体１の種類や大きさ、形態、おきあがりこぼし機能を発揮するための構造等は適宜変更して設計されるものである。
【００１８】
以上の如く、所期の目的を充分達成することができる。
【符号の説明】
【００１９】
Ｂ    球状面
Ｇ    錘体
１    掬い具体
１ａ    掬い部
１ｂ    柄部
１ｅ    開口部
２    起立保持機構
２ａ    底蓋
２ｂ    収納部
【図１】
2010269031.tif 000003
【図２】
2010269031.tif 000004
【図３】
2010269031.tif 000005
【図４】
2010269031.tif 000006
【図５】
2010269031.tif 000007
【図６】
2010269031.tif 000008
【図７】
2010269031.tif 000009